(57)【要約】【課題】  児童が簡便に携帯可能となるように構成した携帯用防犯具を提供する。【解決手段】  ユーザの手首に載る大きさの筐体(2)と、該筐体をユーザの手首に着脱自在に装着するリストバンド(3)とから成る。筐体(2)の装着面(10)にはＸ軸方向に所定間隔をあけて対向する一対のバンド挿通孔(11)(11)が設けられ、リストバンド(3)のバンド基部(17a)が挿脱自在に挿通される。バンド基部の両端方向に延設されたバンド尾端部(17b)とバンド先端部(17c)をユーザの手首に巻回させ、バンド尾端部(17b)の環体(18)の内側から外側に向けてバンド先端部(17c)を挿通し折返した状態で、該折返部の面ファスナー(19a)(19b)が係着される。筐体(2)に内装された警報装置(4)を作動するスイッチ(6)の作動片(7)が前記Ｘ軸方向に進退移動自在となるように筐体(2)の側面(2a)に設けられている。【選択図】  図１
0003115110.tif 000002
【実用新案登録請求の範囲】
【請求項１】
ユーザの手首に載る大きさの筐体(2)と、該筐体をユーザの手首に着脱自在に装着するリストバンド(3)とから成り、
前記筐体(2)は、作動片の進退移動により開閉されるスイッチ(6)と、前記スイッチの閉時に作動する駆動手段(8)と、前記駆動手段により発音せしめられる発音手段(9)とを備えた警報装置(4)を内装し、該筐体(2)の前記手首に臨む装着面(10)にＸ軸方向に所定間隔をあけて対向する一対のバンド挿通孔(11)(11)を設けており、
前記リストバンド(3)は、一対のバンド挿通孔に挿脱自在に挿通されるバンド基部(17a)と、バンド基部の一端から延びると共に先端に環体(18)を設けたバンド尾端部(17b)と、バンド基部の他端から延びるバンド先端部(17c)とを備え、バンド先端部(17c)を前記環体(18)の内側から外側に向けて挿通すると共に折返した状態で、該折返部の相互に着脱自在に係着する面ファスナー(19a)(19b)を設けており、
前記スイッチ(6)の作動片(7)を前記Ｘ軸方向に進退移動自在となるように筐体(2)の側面(2a)に設けて成ることを特徴とする携帯用防犯具。
【請求項２】
一対の挿通孔(11)(11)のそれぞれを筐体(2)の装着面(10)に設けられたほぼ門形のゲート枠(12)(12)により形成し、一対のゲート枠の間に、ユーザの手首の周面を受入れ可能とする円弧状凹部(16)を形成したリブ(15)を設けて成ることを特徴とする請求項１に記載の携帯用防犯具。
【考案の詳細な説明】
【技術分野】
【０００１】
本考案は、携帯用防犯具に関し、特に、児童が簡便に携帯可能となるように構成することにより犯罪等による被害からの安全を確保したものに関する。
【背景技術】
【０００２】
従来、筐体に警報装置を内装した携帯用防犯具は、種々の構造及び形態のものが提案されている。
【０００３】
このような防犯具は、ユーザがポケットに入れたり、カバン等に取付けることにより携帯可能とされ、路上等で見知らぬ者による危険を察知したとき、作動片を作動すると、警報音を発生する。
【考案の開示】
【考案が解決しようとする課題】
【０００４】
近年、児童を対象とした犯罪が急増し、携帯用防犯具のニーズが向上しているが、児童が持ち忘れることなく常に携帯できるようにした構造及び形態のものがなく、ニーズに応えていない。
【０００５】
例えば、低学年の小学生の場合、防犯具をランドセル等に吊持可能とすれば、通学時、常に防犯具が身辺に存在し、安全性の点で有利となる。しかしながら、暴漢等に襲われたとき、ランドセル等に吊持された防犯具を操作するのに手間取るという問題がある。
【課題を解決するための手段】
【０００６】
本考案は、上記課題を解決した携帯用防犯具を提供するものであり、その手段として構成したところは、ユーザの手首に載る大きさの筐体と、該筐体をユーザの手首に着脱自在に装着するリストバンドとから成り、前記筐体は、作動片の進退移動により開閉されるスイッチと、前記スイッチの閉時に作動する駆動手段と、前記駆動手段により発音せしめられる発音手段とを備えた警報装置を内装し、該筐体の前記手首に臨む装着面にＸ軸方向に所定間隔をあけて対向する一対のバンド挿通孔を設けており、前記リストバンドは、一対のバンド挿通孔に挿脱自在に挿通されるバンド基部と、バンド基部の一端から延びると共に先端に環体を設けたバンド尾端部と、バンド基部の他端から延びるバンド先端部とを備え、バンド先端部を前記環体の内側から外側に向けて挿通すると共に折返した状態で、該折返部の相互に着脱自在に係着する面ファスナーを設けており、前記スイッチの作動片を前記Ｘ軸方向に進退移動自在となるように筐体の側面に設けて成る点にある。
【０００７】
本考案の実施形態において、一対の挿通孔は、それぞれ、筐体の装着面に設けられたほぼ門形のゲート枠により形成されており、一対のゲート枠の間には、ユーザの手首の周面を受入れ可能とする円弧状凹部を形成したリブが設けられている。
【考案の効果】
【０００８】
本考案によれば、防犯具１は、例えば、ユーザがポケットに入れて携帯する場合には、リストバンド３を取り外し、コンパクトな状態で筐体２を携帯することができる。しかしながら、その一方において、所期の目的のように児童の身体に常備させる際には、リストバンド３を取り付けた状態で、児童の手首に装着できるという効果がある。
【０００９】
リストバンド３は、バンド先端部７ｃを環体１８の内側から外側に向けて挿通せしめ折返した状態で、該折返部の相互に着脱自在に係着する面ファスナー１９ａ、１９ｂを設けているので、ユーザの手首に弛みなく締結することができる。そして、締結状態においては、一対のゲート枠１２、１２が手首の表面に接触するが、同時に、その間に配置されたリブ１５の円弧状凹部１６が手首の表面に接するので、ゲート枠１２、１２が手首の表面に食い込むことはなく、装着感に優れるという効果がある。
【００１０】
ところで、防犯具１を手首に装着した状態で、作動片７は、Ｘ軸方向に進退可能な状態とされている。即ち、作動片７を操作するＸ軸方向は、手首を含む腕に交差する方向に配置されている。従って、防犯具１を操作する際には、防犯具を装着していない方の手の指先で作動片７を摘み、前記腕と交差するＸ軸方向に引けば良いので、操作ミスを生じる虞れがなく、安全性が高いものとなる。
【考案を実施するための最良の形態】
【００１１】
以下図面に基づいて本考案の好ましい実施形態を詳述する。
【００１２】
携帯用防犯具１は、ユーザの手首に載る大きさの筐体２と、該筐体２をユーザの手首に着脱自在に装着するリストバンド３とから構成されている。筐体２は、適宜、合成樹脂により成形されており、リストバンド３は、編織物によりテープ状に形成されている。
【００１３】
前記筐体２には警報装置４が内装されている。警報装置４は、図３に示すような具体例が可能である。
【００１４】
例えば、図３（Ａ）に示す第１実施例では、電池５を備えた電源回路に設けられたスイッチ６が作動片７の進退移動により開閉され、該スイッチ６の閉時に作動する駆動手段８としてのブザー駆動回路８ａと、該駆動手段８により発音せしめられる発音手段９としてのブザー装置９ａにより警報装置４を構成している。
【００１５】
また、図３（Ｂ）に示す第２実施例の場合、警報装置４は、電池５を備えた電源回路に設けられたスイッチ６が作動片７の進退移動により開閉される。該スイッチ６の閉時に作動する駆動手段８は、合成音記憶手段８ｂと電子回路８ｃから構成され、音楽その他の電子的合成音を出力し、増幅器８ｄを介して発音手段９としてのスピーカ９ｂを鳴らすことにより発音する警報装置４を構成している。
【００１６】
筐体２は、図例のように、児童が好む動物その他のキャラクターや、草花等のような装飾的な外形と模様を備えるのが好ましい。
【００１７】
図１（Ｂ）及び図２（Ａ）に示すように、筐体２は、ユーザ（児童）の手首に臨む装着面１０にＸ軸方向に所定間隔をあけて対向する一対のバンド挿通孔１１、１１を設けている。このバンド挿通孔１１、１１は、それぞれ筐体２の装着面１０に設けられたほぼ門形のゲート枠１２、１２により形成されている。
【００１８】
一対のゲート枠１２、１２の間には、装着面１０から浮き上がるように基台部１３が形成され、該基台部１３に凹設された円弧状の凹部を介して円形のキャップ１４が着脱自在に設けられ、該キャップ１４を開閉することにより電池５を交換可能となるように構成している。
【００１９】
前記基台部１３の側部に位置して、一対のゲート枠１２、１２の間には、前記Ｘ軸方向に延びるリブ１５が設けられており、該リブ１５の縁部にはユーザの手首の周面を受入れ可能とする円弧状凹部１６がを形成されている。
【００２０】
そこで、このように形成された筐体２は、前記スイッチ５を作動する作動片７を前記Ｘ軸方向に進退移動自在となるように筐体の側面２ａに設けている。この際、適宜、操作環等の操作補助片２０を作動片７に設けておくのが望ましい。因みに、作動片７は、筐体２から引き抜き自在であり、ユーザが操作補助片２０を指先で摘んで作動片７を引き抜いたとき、スイッチ５が閉とされ、警報音を発生する。そして、再び作動片７を差し込むと、スイッチ５が開とされ、警報音を停止する。しかしながら、作動片７は、このように引き抜き自在に構成する他、所定の規制された範囲で進退移動自在に構成し、引抜き方向に移動したとき警報音を発生し、押込み方向に移動したとき警報音を停止するように構成しても良い。
【００２１】
前記リストバンド３は、一対のバンド挿通孔１１、１１に挿脱自在に挿通されるバンド基部１７ａと、バンド基部１７ａの一端から延びると共に先端に環体１８を設けたバンド尾端部１７ｂと、バンド基部１７ａの他端から延びるバンド先端部１７ｃとを備え、バンド先端部１７ｃを前記環体１８の内側から外側に向けて挿通すると共に折返した状態で、該折返部の相互に着脱自在に係着する面ファスナー１９ａ、１９ｂを設けている。図例の場合、バンド先端部１７ｃの先端側に設けられた面ファスナー１９ａと、これに隣接する面ファスナー１９ｂとを相互に僅かに離間して配置し、両面ファスナー１９ａ、１９ｂの間の部分で該バンド先端部１７ｃに折返自在部２１を形成している。
【００２２】
上記構成の防犯具１は、例えば、ユーザがポケットに入れて携帯する場合には、リストバンド３を取り外し、コンパクトな状態で筐体２を携帯することができる。
【００２３】
しかしながら、所期の目的のように児童の身体に常備させる際には、リストバンド３を取り付けた状態で、児童の手首に装着させることができる。
【００２４】
即ち、図１に示すように、リストバンド３を一対のバンド挿通孔１１、１１に挿通せしめ、バンド基部１７ａをゲート枠１２、１２の間に架設する。この際、バンド挿通孔１１、１１は、ゲート枠１２、１２に臨む基台部１３の両端縁により孔の上下寸法をバンド３の厚みとほぼ同寸法となるように規制されており、挿通されたバンド基部１７ａが基台部１３の両端縁に摩擦接触するので、バンド基部１７ａと筐体２が相互に遊動することはない。その後、バンド尾端部１７ｂとバンド先端部１７ｃをループを描くように対向させながらユーザの手首の外周に巻回した状態で、バンド先端部１７ｃを環体１８に内側から外側に向けて挿通させる。この状態で、面ファスナー１９ａ、１９ｂがループの外側向きに位置しているので、バンド先端部１７ｃを折返自在部２１で折返せば、一対の面ファスナー１９ａ、１９ｂが対面して相互に係着する。
【００２５】
図示のように、面ファスナー１９ｂはバンド先端部１７ｃに沿って長く延設されているので、ユーザの手首が小さいときは、リストバンド３のループが手首に沿うまでバンド先端部１７ｃを環体１８から引出し、面ファスナー１９ｂの部分でバンド先端部１７ｃを折返し、折返された状態で対面する面ファスナー１９ｂを相互に係着すれば良い。
【００２６】
リストバンド３をユーザの手首に弛みなく締結した状態で、一対のゲート枠１２、１２が手首の表面に接触するが、同時に、その間に配置されたリブ１５の円弧状凹部１６が手首の表面に接するので、ゲート枠１２、１２が手首の表面に食い込むことはなく、装着感に優れる。
【００２７】
ところで、防犯具１を手首に装着した状態で、操作補助片２０を備えた作動片７は、Ｘ軸方向に進退可能な状態とされている。即ち、作動片７を操作すべきＸ軸は、手首を含む腕に交差する方向に配置されている。従って、防犯具１を操作する際には、防犯具を装着していない方の手の指先で作動片７を摘み、前記腕と交差するＸ軸方向に引けば良いので、操作ミスを生じる虞れがなく、安全性が高いものとなる。
【図面の簡単な説明】
【００２８】
【図１】本発明の１実施形態を示しており、（Ａ）は防犯具を上側から見た斜視図、（Ｂ）は防犯具を下側から見た斜視図である。
【図２】本発明の１実施形態を示しており、（Ａ）は筐体を下側から見た斜視図、（Ｂ）はリストバンドを一部破断した状態の斜視図である。
【図３】筐体に内装された警報装置の実施例を示しており、（Ａ）は第１実施例を示す回路図、（Ｂ）は第２実施例を示す回路図である。
【符号の説明】
【００２９】
１    防犯具
２    筐体
２ａ  側面
３    リストバンド
４    警報装置
５    電池（電源）
６    スイッチ
７    作動片
８    駆動手段
９    発音手段
１０    装着面
１１    挿通孔
１２    ゲート枠
１５    リブ
１６    円弧状凹部
１７ａ  バンド基部
１７ｂ  バンド尾端部
１７ｃ  バンド先端部
１８    環体
１９ａ、１９ｂ  面ファスナー
【図１】
0003115110.tif 000003
【図２】
0003115110.tif 000004
【図３】
0003115110.tif 000005